(57)【特許請求の範囲】
【請求項１】
第１のワイヤレス通信システムと第２のワイヤレス通信システムの一方が他方にスペクトルの一部を割り当てるスペクトル割り当てプロセスに参加する第１のワイヤレス通信システムにおけるスペクトル使用の制御方法であって、前記第１のワイヤレス通信システムは複数のネットワーク要素を有し、前記複数のネットワーク要素の一部または全部は前記第２のワイヤレス通信システムのネットワーク要素に関連するセル内にあり、同一スペクトルバンド内で動作しており、前記方法は、
前記第１のワイヤレス通信システムのネットワーク要素を調整して、前記第１のワイヤレス通信システムのネットワーク要素から前記第２のワイヤレス通信システムのネットワーク要素に割り当てできるスペクトル部分、または前記第２のワイヤレス通信システムのネットワーク要素から第１のワイヤレス通信システムのネットワーク要素に割り当てを要するスペクトル部分を特定する調整段階を含み、
前記調整段階は、前記第１のワイヤレス通信システムのネットワーク要素から割り当てできる最小スペクトル量のスペクトル部分を特定する段階を含む、方法。
【請求項２】
前記第１のワイヤレス通信システムのネットワーク要素から割り当てできる最小スペクトル量のスペクトル部分を特定する段階は、前記第１のワイヤレス通信システムの各ネットワーク要素のトラフィックバッファ量を分析する段階と、トラフィックバッファ量に応じて前記第１のワイヤレス通信システムの各ネットワーク要素が必要とするスペクトル量を決定する段階と、各ネットワーク要素に必要なスペクトル量を前記第１の通信システムに現在割り当てできているスペクトル量と比較して差を求める段階と、差の最小値を選択して前記最小スペクトル量を特定する段階とを含む、請求項１に記載の方法。
【請求項３】
第１のワイヤレス通信システムと第２のワイヤレス通信システムの一方が他方にスペクトルの一部を割り当てるスペクトル割り当てプロセスに参加する第２のワイヤレス通信システムにおけるスペクトル使用の制御方法であって、前記第１のワイヤレス通信システムは複数のネットワーク要素を有し、前記複数のネットワーク要素の一部または全部は前記第２のワイヤレス通信システムのネットワーク要素に関連するセル内にあり、同一スペクトルバンド内で動作しており、前記方法は、
前記スペクトル割り当てプロセスにおいて、前記第２のワイヤレス通信システムのネットワーク要素から前記第１のワイヤレス通信システムのネットワーク要素に割り当てできる、または前記第１のワイヤレス通信システムのネットワーク要素から前記第２のワイヤレス通信システムのネットワーク要素に割り当てを要するスペクトル部分を特定する段階を含み、
前記スペクトル部分を特定する段階は、前記第１のワイヤレス通信システムのネットワーク要素から割り当てできる最小スペクトル量のスペクトル部分を特定する段階を含む、方法。
【請求項４】
前記第２のワイヤレス通信システムの前記１つのネットワーク要素から送信されるのを待つデータを分析し、前記データの送信に必要なバンド幅を決定する段階を含む、請求項３に記載の方法。
【請求項５】
第１のワイヤレス通信システムと第２のワイヤレス通信システムの一方が他方にスペクトルの一部を割り当てるスペクトル割り当てプロセスに参加する第１のワイヤレス通信システムにおけるスペクトル使用の制御装置であって、前記第１のワイヤレス通信システムは複数のネットワーク要素を有し、前記複数のネットワーク要素の一部または全部は前記第２のワイヤレス通信システムのネットワーク要素に関連するセル内にあり、同一スペクトルバンド内で動作しており、前記装置は、
前記第１のワイヤレス通信システムのネットワーク要素を調整して、前記第１のワイヤレス通信システムのネットワーク要素から前記第２のワイヤレス通信システムのネットワーク要素に割り当てできるスペクトル部分、または前記第２のワイヤレス通信システムのネットワーク要素から第１のワイヤレス通信システムのネットワーク要素に割り当てを要するスペクトル部分を特定する調整回路を含み、
前記調整回路は、前記第１のワイヤレス通信システムのネットワーク要素から割り当てできる最小スペクトル量のスペクトル部分を特定する、装置。
【請求項６】
第１のワイヤレス通信システムと第２のワイヤレス通信システムの一方が他方にスペクトルの一部を割り当てるスペクトル割り当てプロセスに参加する第２のワイヤレス通信システムにおけるスペクトル使用の制御装置であって、前記第１のワイヤレス通信システムは複数のネットワーク要素を有し、前記複数のネットワーク要素の一部または全部は前記第２のワイヤレス通信システムのネットワーク要素に関連するセル内にあり、同一スペクトルバンド内で動作しており、前記装置は、
前記スペクトル割り当てプロセスにおいて、前記第２のワイヤレス通信システムのネットワーク要素から前記第１のワイヤレス通信システムのネットワーク要素に割り当てできる、または前記第１のワイヤレス通信システムのネットワーク要素から前記第２のワイヤレス通信システムのネットワーク要素に割り当てを要するスペクトル部分を特定する特定回路を含み、
前記スペクトル部分を特定する回路は、前記第１のワイヤレス通信システムのネットワーク要素から割り当てできる最小スペクトル量のスペクトル部分を特定する、装置。
【請求項７】
第１のワイヤレス通信システムと第２のワイヤレス通信システムの一方が他方にスペクトルの一部を割り当てるスペクトル割り当てプロセスに参加する第１のワイヤレス通信システムにおけるスペクトル使用の制御方法であって、前記第１のワイヤレス通信システムは複数のネットワーク要素を有し、前記複数のネットワーク要素の一部または全部は前記第２のワイヤレス通信システムのネットワーク要素に関連するセル内にあり、時分割多重方式を用いて同一スペクトルバンド内で動作しており、前記第２のワイヤレス通信システムは周波数分割多重方式を用い、前記方法は、
グループ調整プロセスを実行する段階は、前記第１のワイヤレス通信システムのネットワーク要素を調整して、前記第１のワイヤレス通信システムから前記第２のワイヤレス通信システムのネットワーク要素に割り当てできるスペクトル部分を特定する調整段階であって、前記調整段階は、前記第１のワイヤレス通信システムのネットワーク要素から割り当てできる最小スペクトル量のスペクトル部分を特定する段階を含む、調整段階と、
前記スペクトル割り当てプロセスにおいて前記第１のワイヤレス通信システムから前記第２のワイヤレス通信システムのネットワーク要素に特定された前記最小スペクトル量のスペクトル部分を割り当てる割り当て段階と、
前記スペクトル割り当てプロセスの後にスペクトル構成を示すシグナリングを前記第１のワイヤレス通信システムの同期モジュールに送信する送信段階と、
前記第１のワイヤレス通信システムに、前記同期モジュールの動作と連携して前記スペクトル構成に切り替えさせる切り替え段階とを含む方法。
【請求項８】
第１のワイヤレス通信システムと第２のワイヤレス通信システムの一方が他方にスペクトルの一部を割り当てるスペクトル割り当てプロセスに参加する第１のワイヤレス通信システムにおけるスペクトル使用の制御装置であって、前記第１のワイヤレス通信システムは複数のネットワーク要素を有し、前記複数のネットワーク要素の一部または全部は前記第２のワイヤレス通信システムのネットワーク要素に関連するセル内にあり、時分割多重方式を用いて同一スペクトルバンド内で動作しており、前記第２のワイヤレス通信システムは周波数分割多重方式を用い、前記装置は、
グループ調整プロセスを実行する段階は、前記第１のワイヤレス通信システムのネットワーク要素を調整して、前記第１のワイヤレス通信システムから前記第２のワイヤレス通信システムのネットワーク要素に割り当てできるスペクトル部分を特定する調整回路であって、前記調整回路は、前記第１のワイヤレス通信システムのネットワーク要素から割り当てできる最小スペクトル量のスペクトル部分を特定する、調整回路と、
前記スペクトル割り当てプロセスにおいて前記第１のワイヤレス通信システムから前記第２のワイヤレス通信システムのネットワーク要素に特定された前記最小スペクトル量のスペクトル部分を割り当てるスペクトル割り当て回路と、
前記スペクトル割り当て回路は、前記スペクトル割り当てプロセスの後にスペクトル構成を示すシグナリングを前記第１のワイヤレス通信システムの同期モジュールに送信し、
前記第１のワイヤレス通信システムに、前記同期モジュールの動作と連携して前記スペクトル構成に切り替えさせる制御回路とを含む装置。
【発明の詳細な説明】
【技術分野】
【０００１】
本発明は無線通信システムにおけるスペクトル使用の制御方法及び装置に関する。
【背景技術】
【０００２】
最近の世界的な研究により、一部のシステムやモバイルオペレータはスペクトルリソースをより効率的に利用したがっているが、無線スペクトルリソースのほとんどは多くの場合十分利用されていないか、まったく利用されていない。実用化されつつある新しいサービスやアプリケーションのために、無線スペクトルを柔軟に使用する必要性が高まっており、世界中で多くの研究がなされている。無線スペクトルリソースの効率的な利用は、ベンダーや無線ネットワークのオペレータにとって新しい収益源となるであろう。新しい無線インフラストラクチャのデザインは、スペクトルをよりよく利用するために、基本的に新しいやり方でスペクトルを共有しようとするものである。提案されたスペクトル管理アーキテクチャや最近開発されたスペクトル共有機能により、新しいサービスをオペレータネットワークに適合させるのに要する時間を短縮できる。さらに、柔軟なスペクトル利用により、サービスの機能を豊富にし、高速化し、ＱｏＳ（Quality  of  Service）を高め、従来のネットワークよりも大きな満足をユーザに与えることができる。
【０００３】
相異なる３つの時間スケールで相異なる４つのレベルのスペクトル管理方法が知られている、すなわち、スペクトル共有及び共存（数時間または数日）、長期スペクトル割り当て（数分）、短期スペクトル割り当て（数１０ミリ秒ないし１秒）、及び高速ダイナミックスペクトルアロケーション（１０ミリ秒の時間スケールまたはそれ以下）。このシステムに含まれる要素の一つは、ゲートウェイのコンセプトである。このゲートウェイは長期スペクトル割り当て及び一部のラジオリソース管理（ＲＲＭ）のアルゴリズムを提供する。スペクトル共有の最も困難なシナリオの１つは、階層的にオーバーレイしたセルラーネットワークにおける短期モード間スペクトル割り当てである。隣接するセルがスペクトルを交換するＲＡＮ内スペクトル共有及び交換とは異なり、階層的オーバーレイセルラーネットワークでは、セルは隣接しておらず、オーバーラップしており、短期及び長期のスペクトル割り当ては困難なタスクである。例えば、時分割多重（ＴＤＤ）のメトロポリタンエリア（ＭＡ）セルが周波数分割多重（ＦＤＤ）のワイドエリア（ＷＡ）セル内にあり、ＭＡのセルまたは基地局がスペクトルのチャンクをＷＡのセルに割り当てる場合、ＭＡのセルはすべてＷＡのセルに囲まれているので、ＷＡセルにスペクトルをどのようにアロケーションしても、他のＭＡセルに激しい干渉が生じてしまう。図１は、ＦＤＤモードを用いて動作している基地局ＢＳ１−３を有する３つのＷＡセルＷＡ１−３を有する階層的オーバーレイセルラーネットワークを示す図である。第１のＭＡＮのＭＡセルＭＡ１−３はセルＷＡ１内にあり、第２のＭＡＮのＭＡセルＭＡ４−６はＷＡセルＷＡ２内にあり、第３のＭＡＮのＭＡセルＭＡ７−９はＷＡセルＷＡ３内にある。各ＭＡセルはＴＤＤモードを用い、３つのＭＡＮは地理的に離れているので、各ＭＡセルは同じスペクトルバンド内で動作できる。
【０００４】
場合によっては、セルの１つ（例えば、図１のＭＡ１）がＷＡ１と共有してアロケーションできるスペクトルリソースを有していることがある。図２を参照して、関与する他のＭＡセルとの協調無しにスペクトル割り当て（実線の矢印で示した）を行うと、セルＭＡ２とＭＡ３にＷＡセルから激しい干渉が生じてしまう。図２の点線はその干渉と、干渉が起こるスペクトル部分とを示している。図２に示したように、ＭＡ１からＷＡ１に割り当てられたスペクトルのチャンクをセルＷＡ１が使うと、ＭＡ２とＭＡ３に干渉が生じる。ＭＡ２とＭＡ３は、ＭＡ１が与えたスペクトルのチャンク内においてＴＤＤで動作しているからである。隣接セルでは安全分離距離（safe  separation  distances）や排他的ゾーンを用いて互いに分離できるが、それとは異なり、階層的オーバーレイセルラーネットワークの場合、提案されている安全分離距離や排他的ゾーンを実現することは困難である。
【発明の概要】
【発明が解決しようとする課題】
【０００５】
図３は、ＷＡ１にスペクトルを割り当てた結果、他のＷＡセルにある他のＭＡＮ内のＭＡセルに干渉が生じる。他のＷＡセルのＭＡセルがＷＡ１から十分遠いところにあれば、その干渉は重大ではないかも知れない。
【課題を解決するための手段】
【０００６】
第１の態様によると、第１のワイヤレス通信システムと第２のワイヤレス通信システムの一方が他方にスペクトルの一部を割り当てるスペクトル割り当てプロセスに参加する第１のワイヤレス通信システムにおけるスペクトル使用の制御方法が提供される。前記第１のワイヤレス通信システムは複数のネットワーク要素を有し、前記複数のネットワーク要素の一部または全部は前記第２のワイヤレス通信システムのネットワーク要素に関連するセル内にあり、同一スペクトルバンド内で動作しており、前記方法は、前記第１のワイヤレス通信システムのネットワーク要素を調整して、前記第１のワイヤレス通信システムのネットワーク要素から前記第２のワイヤレス通信システムのネットワーク要素に割り当てできるスペクトル部分、または前記第２のワイヤレス通信システムのネットワーク要素から第１のワイヤレス通信システムのネットワーク要素に割り当てを要するスペクトル部分を特定する調整段階を含むグループ調整プロセスを実行する段階を含む。
【発明の効果】
【０００７】
当事者として１つのセル（例えばＷＡセル）に囲まれている複数セルのクラスター（例えばＭＡセルのグループ）における潜在的な利益衝突を回避できる。
【図面の簡単な説明】
【０００８】
ほんの一例として、添付した図面を参照して説明する。
【図１】階層的オーバーレイセルラーネットワークを示す図である。
【図２】図１のネットワークで生じるおそれのある潜在的な干渉問題を示す図である。
【図３】図１のネットワークで生じるおそれのあるさらに別の潜在的な干渉問題を示す図である。
【図４】スペクトル割り当てプロセスの第１のトリガータイプのインスタンス中に起こるシグナリングを示す図である。
【図５】スペクトル割り当てプロセスの第２のトリガータイプのインスタンス中に起こるシグナリングを示す図である。
【図６】スペクトル割り当てプロセスの第２のトリガータイプのインスタンス中に起こる別のシグナリングを示す図である。
【図７】スペクトル割り当てプロセスの第２のトリガータイプのインスタンス中に起こるさらに別のシグナリングを示す図である。
【図８】第１のトリガータイプに応じて実行される短期スペクトル割り当てプロセス中に起こるシグナリングを示す図である。
【図９】第１のトリガータイプに応じて実行される短期スペクトル割り当てプロセス中に起こる別のシグナリングを示す図である。
【図１０】第１のトリガータイプに応じて実行される短期スペクトル割り当てプロセスの結果として得られるスペクトル構成を示す図である。
【図１１】第２のトリガータイプに応じて実行される短期スペクトル割り当てプロセス中に起こるシグナリングを示す図である。
【図１２】第２のトリガータイプに応じて実行される短期スペクトル割り当てプロセスの結果として得られるスペクトル構成を示す図である。
【図１３】第２のトリガータイプに応じて実行される短期スペクトル割り当てプロセスの結果として得られる別のスペクトル構成を示す図である。
【図１４Ａ】第１のトリガータイプのインスタンスと、第１のトリガータイプへのレスポンスとのためのプロトコルを示す図である。
【図１４Ｂ】第２のトリガータイプのインスタンスと、第２のトリガータイプへのレスポンスとのためのプロトコルを示す図である。
【図１５Ａ】スペクトルの開放直前の、短期スペクトル割り当てプロセスの干渉レベルに対するインパクトのシミュレーション結果を示す図である。
【図１５Ｂ】短期スペクトル割り当てプロセス完了後の、短期スペクトル割り当てプロセスの干渉レベルに対するインパクトのシミュレーション結果を示す図である。
【図１６】本発明の、スペクトル割り当ての各段階に対するインパクトを示す図である。
【発明を実施するための形態】
【０００９】
図面を参照して、その他の態様、及び実施形態を詳細に説明する。
【００１０】
本方法により、すべての関係者に対してスペクトルをよりうまく利用可能とするために、潜在的に冗長なスペクトルが利用できるようになる。本実施形態により、長期のスペクトル割り当てをさらに微調整して、ＱｏＳとＳＩＲ比、全体的なネットワークカバレッジ、スループット、借り手の収益を、ラジオリソースをピーク時に必要な時に利用できるようにして、改善することができる。冗長なラジオスペクトルを無駄にせず効率的に利用できるようにすることにより、貸し手（lending  party）としてのオペレータの付加的な収入源を提供する。本方法により、より多くのラジオリソースによりよく効率的なアクセスを提供することにより、特にセルエッジにおける潜在的な呼閉塞（call  blockage）を低減することができる。本方法により干渉管理がよくなる。
【００１１】
「無線通信システム」との用語はワイヤレス（wireless）アクセスネットワークに関し、例えば、基地局などのネットワーク要素をすべて含む無線（radio）アクセスネットワークに関する。ラジオアクセスネットワークは例えばメトロポリタンエリアネットワークやワイドエリアネットワークである。他の構成（arrangement）では、ＲＦＩＤタグリーダやシンク（sink）またはワイヤレスセンサネットワーク基地局に関し、または、例えば制御回路である他の装置を含んでもよいネットワークを形成しているかかるリーダーのグループに関する。ＷｉＭＡＸネットワークであってもよい。第１のワイヤレス通信システムはマイクロネットワークであり、第２のワイヤレス通信システムはマクロネットワークであってもよい。第１のワイヤレス通信システムはメトロポリタンエリアネットワークであり、第２のワイヤレス通信システムはワイドエリアネットワークであってもよい。
【００１２】
スペクトル割り当てプロセスは、ある無線通信システムから第１及び第２の無線通信システムの一方に事前に割り当てられたスペクトルバンドの一部の、第１及び第２の無線通信システムの他方への再割り当て（re-assignment）を含む。言い換えると、第１のスペクトルバンドが第１の無線通信システムに事前に割り当てられ、第２のスペクトルバンドが第２の無線通信システムに事前に割り当てられている場合に、スペクトル割り当てプロセス（spectrum  assignment  process）は、（例えば、第１と第２の無線通信システム間のネゴシエーションの間に）第１及び第２の無線通信システムの一方から他方に、事前に割り当てられた第１と第２のスペクトルバンドの一部または全部を再割り当てする段階を含んでもよい。「事前に割り当てられた（pre-assigned）」との用語は、スペクトルバンドを事前に割り当てられた無線通信システムがそのスペクトルバンド内でオペレーションをするライセンスを得ていることを意味する。一方のシステムから他方のシステムにスペクトルの一部を割り当てる行為は、一方のシステムが他方のシステムに割り当てられたスペクトル部分を利用する許可を与え、許可を与えたシステムが割り当てた部分の利用を停止し、許可を受けたシステムが必要に応じて割り当てられた部分を利用できることを含む。スペクトル割り当てプロセスは、少なくとも長期スペクトル割り当てプロセスをさらに含むより大きなスペクトル共有方式の一部をなす短期スペクトル割り当てプロセス（１秒から数１０ミリ秒の時間スケール）であってもよい。スペクトル割り当てプロセスは、前記第１及び第２の無線通信システムを含む少なくとも３つの無線通信システムが関与してもよい。スペクトル割り当てプロセスに関して使用した場合、「インスタンス」という用語は、スペクトル割り当てプロセスによる１回のスペクトルの割り当てを意味する。
【００１３】
「スペクトル」という用語は、通信に利用できる電磁放射のラジオ周波数またはその他の周波数範囲を意味する。例えば、第１と第２の無線通信システムは、電磁波スペクトルのラジオ周波数の範囲内で動作するラジオアクセスネットワーク（ＲＡＮ）である。追加的または代替的に、無線通信システムは、例えばマイクロ波の周波数範囲内で動作してもよい。
【００１４】
「部分（portion）」や「バンド（band）」との用語は、スペクトルとの関係において、周波数の特定の範囲を意味する。その範囲は、一つの一続きの周波数範囲でもよいし、２つ以上に分かれた周波数範囲でもよい。「チャンク（chunk）」及び「サブチャンク（sub-chunk）」との用語もスペクトルの一部またはバンドを意味する。
【００１５】
第１のワイヤレス通信システムのネットワーク要素は、使用時、すべて同じスペクトルバンドで動作する。第１のワイヤレス通信システムはＴＤＤモード（及びＴＤＭＡモード）を用いて動作してもよい。これは、第１のワイヤレス通信システムのネットワーク要素がその動作を同期させて別の時間スロットで送受信を行うことにより、同じスペクトルバンドを用いて送信できることを意味している。
【００１６】
「割り当てできる」との表現により、例えばトラフィック送信成功率などの所定のサービス要求を満たしつつ、第１のワイヤレス通信システムはスペクトルの一部を割り当てることができることを意味する。言い換えると、そのスペクトル部分は、割り当てできるとき、第１のワイヤレス通信システムのその要求にはなくてもよく、第１のワイヤレス通信システムはその部分を割り当てることにより収益を上げられる。
【００１７】
同様に、「割り当てる必要がある」との表現により、第１のワイヤレス通信システムは、所定のサービス要求を満たすにはスペクトルの追加的部分を必要とすることを意味する。
【００１８】
本明細書において「トリガー（trigger）」との用語は、それに応じてワイヤレス通信システムがスペクトル割り当てプロセスのインスタンスを実行（undertake）できる、第１の無線通信システムの内部または外部の信号、処理結果、刺激、または状況を意味する。トリガーによりスペクトル割り当てアルゴリズムが起動され得る。
【００１９】
「モバイル通信装置」は、ここでは、無線通信システムと無線通信を実行できる無線装置を意味する。例えば、この用語は、携帯電話、パーソナルデジタルアシスタント、ラップトップ、またはＰＣなどのユーザ装置（ユーザが携帯できる無線装置）や、ＲＦＩＤタグ／ノードまたは無線センサノードや、ＷｉＭＡＸ通信機能を有する装置に関する。
【００２０】
ネットワーク要素を調整する段階は、すべての適切なネットワーク要素がスペクトル割り当てプロセスにより利益を受けるために、または少なくともどのネットワーク要素もスペクトル割り当てプロセスにより大きな被害を受けないために、スペクトル割り当てプロセスを目的として、第１のワイヤレス通信システム各ネットワーク要素の状況、状態、動作パラメータを考慮したシグナリング、通信、所定方法または制御動作の使用を含む。「適切な」ネットワーク要素との表現は、他のネットワーク要素と同じまたは類似したスペクトルバンドを用いて動作している任意のネットワーク要素、動作していない（inactive）ネットワーク要素、または干渉問題が起こらないスペクトルバンド内で動作しているネットワーク要素を意味する。
【００２１】
スペクトル部分を特定する段階は、スペクトル量と、スペクトル構成における他のスペクトル部分に対する位置を決定する段階を含む。「スペクトル構成（configuration）」という用語は、スペクトルの一部の構成（arrangement）にかかわり、各部分のスペクトルの量、及び／またはスペクトル構成中の他のスペクトル部分に対する位置を特定する。例えば、上限と下限によりスペクトルの各部を規定することにより、その部分の大きさと他のスペクトル部分に対するその位置の両方を示すことができる。スペクトルの一部をその大きさ及び／またはスペクトルＩＤにより特定してもよい。スペクトルＩＤは、例えば、候補の中から選択された各サブチャンクに割り当てられた番号である。サブチャンクにスペクトルＩＤを付与する方法はスペクトル割り当てプロセスの前に、またはその間に決定できる。スペクトル構成は１つまたは複数のガードバンドと、１つまたは複数のライセンスされたスペクトルの領域またはライセンスされていないスペクトルの領域を含み得る。また、スペクトル構成は、スペクトルの各部分をそれぞれのエンティティ（entity）に関連付ける情報を含む。ここで、エンティティは、無線通信システム（例えば、ラジオアクセスネットワーク）やその一部や、セル局または基地局またはそのクラスターのグループや、かかるエンティティに属するアップリンクまたはダウンリンクである。
【００２２】
このように、本方法は階層的オーバーレイセルラーネットワークにおける効率的なモード間スペクトル割り当て、すなわちマイクロセルがマクロセルにオーバーレイ（overlaid）している場合に、マクロセルとマイクロセル間のスペクトル共有のコンセプトを提供する。マイクロセルはＴＤＤモードで動作し、マクロセルはＦＤＤモードで動作してもよい。例えば、ＷＡセルの中にあるＭＡセルのように、スペクトル割り当てプロセスに関与するセルが隣接しておらず、ネゴシエーションする要素が大きなセルに囲まれていて排除ゾーンがない、クリティカルかつ現実的な場合には、短期スペクトル割り当てはＴＤＤモードとＦＤＤモードの間で行われる。
【００２３】
スペクトル割り当てプロセスのための２つのトリガーを開示する。一方または両方を用いることができる。第１の態様の方法は第１のトリガータイプに対する応答の一部をなし、または第２のトリガータイプ自体の動作の一部をなす。第２の態様の方法は第１のトリガータイプ自体の動作の一部をなし、または第２のトリガータイプに対する応答の一部をなす。各トリガータイプはトラフィックレベルに基づく。１つのトリガータイプは、マクロセル（例えば、第２のワイヤレス通信システムのセル）におけるトラフィックバッファ量が閾値を越えることを含む。他のトリガータイプは、マイクロセル（例えば、第１のワイヤレス通信システムのセル）におけるトラフィックバッファ量が閾値を越えることを含む。本方法は、マクロセルにより覆われたマイクロセルグループにおける全体的なトラフィック量の周期的な分析を含むトラフィックバッファの周期的または連続的なモニターを含む。本方法は、全体的なトラフィック量をスペクトルが不十分なもの、またはスペクトルが十分なものに変換（convert）することを含む。
【００２４】
本方法は、前記グループ調整プロセスにおいて、前記第１のワイヤレス通信システムのネットワーク要素を調整して、前記スペクトル割り当てプロセスにおいて、前記第１のワイヤレス通信システムのネットワーク要素から前記第２のワイヤレス通信システムのネットワーク要素に割り当てられるスペクトル部分を特定する調整段階を含む。さらに、前記第１のワイヤレス通信システムのネットワーク要素を調整して前記スペクトル部分を特定する段階は、前記第１のワイヤレス通信システムのネットワーク要素から割り当てられる最小スペクトル量のスペクトル部分を特定する段階を含む。このように、スペクトルの一部を割り当てると、割り当てたスペクトル部分を用いて、第２のワイヤレス通信システムのネットワーク要素による通信から生じる第１のワイヤレス通信システムにおける干渉を低減または回避することができる。本方法により、ユーザにとってスループットが高くなり、スペクトルリソースが大きくなり、干渉管理がよくなり、ＱｏＳ（Quality  of  Service）がよくなる。
【００２５】
本方法は、第１のワイヤレス通信システムのネットワーク要素から割り当てできるスペクトルの最小量である、スペクトル部分を特定する適切な方法を含む。一実施形態では、この段階は、前記第１のワイヤレス通信システムの各ネットワーク要素のトラフィックバッファ量を分析し、前記トラフィックバッファ量に応じて前記第１のワイヤレス通信システムの各ネットワーク要素が必要とするスペクトル量を決定し、各ネットワーク要素が必要とするスペクトル量を前記第１の通信システムに現在割り当てられているスペクトル量と比較して、各ネットワーク要素について差を求め、最小差を選択してスペクトルの最小量を特定する。トラフィックバッファ量に応じて前記第１のワイヤレス通信システムの各ネットワーク要素が必要とするスペクトル量を決める段階は、ルックアップテーブルを用いて各ネットワーク要素のトラフィックバッファ量をスペクトル量にマッピングする段階を含み得る。他の実施形態では、アルゴリズムを用いてもよい。
【００２６】
追加的または代替的に、前記方法は、前記グループ調整プロセスにおいて、前記第１のワイヤレス通信システムのネットワーク要素を調整して、前記第２のワイヤレス通信システムのネットワーク要素から前記第１のワイヤレス通信システムのネットワーク要素に割り当てる必要があるスペクトル部分を特定する調整段階を含む。このように、本方法により、ユーザにとってスループットが高くなり、スペクトルリソースが大きくなり、干渉管理がよくなり、ＱｏＳ（Quality  of  Service）がよくなる。
【００２７】
上記の通り、本方法は、動作中の、またはアクティブなネットワーク要素と、割り当て後に干渉問題が生じるおそれのあるスペクトルバンド内で動作しているネットワーク要素のみに関する。しかし、一実施形態では、前記第１のワイヤレス通信システムのネットワーク要素を調整する段階は、前記第１のワイヤレス通信システムの各ネットワーク要素から前記第２のワイヤレス通信システムのネットワーク要素に割り当てられるスペクトル部分、または前記第２のワイヤレス通信システムのネットワーク要素から前記第１のワイヤレス通信システムの各ネットワーク要素に割当が必要なスペクトル部分を特定する段階を含み得る。その部分を第１のワイヤレス通信システムの各ネットワーク要素から、または各ネットワーク要素に割り当てることにより、害となる利益相反のおそれを低減することができる。
【００２８】
ネットワーク要素を調整する適切な手段であればどんなものを利用してもよい。一実施形態では、前記第１のワイヤレス通信システムのネットワーク要素を調整する段階は、前記第１のワイヤレス通信システムの１つのネットワーク要素に前記第１のワイヤレス通信システムの他のネットワーク要素を調整させる。さらに、前記１つのネットワーク要素は前記第１のワイヤレス通信システムのリードネットワーク要素であってもよい。このように、１つのネットワーク要素がグループリーダーとして機能し、調整作業が簡単になる。
【００２９】
第１のワイヤレス通信システムのネットワーク要素の調整は、特に、スペクトル割り当てプロセスの後にネットワーク要素に対する干渉面での混乱を最小限にする適切なストラテジに基づくものであってもよい。好ましくは、調整には各ネットワーク要素のトラフィックレベルを考慮してどのくらいのスペクトルを割り当てられるか（どのくらい必要か）計算し、割り当てすぎて（第１のワイヤレス通信システムのネットワーク要素の１つと、第２のワイヤレス通信システムのネットワーク要素により使用されるスペクトルの重なりの結果である）干渉を起こすことを回避する。一実施形態では、本方法は、前記第１のワイヤレス通信システムの前記１つのネットワーク要素から前記他のネットワーク要素に、前記グループ調整プロセスの開始を示すシグナリングであって、そのシグナリングに応じて、前記他のネットワーク要素の各々が、送信されるのを待っているデータを分析して前記データの送信に必要なバンド幅を決定し、必要なバンド幅を示すシグナリングを前記１つのネットワーク要素に送信するシグナリングを送信する段階を含んでもよい。この後、本方法は、前記第１のワイヤレス通信システムの前記１つのネットワーク要素からの送信されるのを待つデータを分析し、前記データの送信に必要なバンド幅を決定する段階を含んでもよい。本方法は、各ネットワーク要素が必要とするバンド幅を前記第１の通信システムに割り当てられているスペクトル量と比較して、各ネットワーク要素について差を求め、前記最小差を選択する段階を含んでもよい。さらに、本方法は、前記第１のワイヤレス通信システムから前記第２のワイヤレス通信システムに、前記最小差にサイズ的に対応するスペクトル部分が、前記差の符号に応じて、前記第１のワイヤレス通信システムの各ネットワーク要素から前記第２のワイヤレス通信システムのネットワーク要素に割り当てできるか、または前記第２のワイヤレス通信システムのネットワーク要素から前記第１のワイヤレス通信システムの各ネットワーク要素に割り当てを要求されていることを示すシグナリングを送信する段階を含みうる。このように、上記の混乱は最小限のものとすることができる。
【００３０】
上記の通り、第１の態様の方法は、（下記の）第１のトリガータイプに対する応答の一部をなす。この場合、本方法は、前記第１のワイヤレス通信システムから前記第２のワイヤレス通信システムの前記ネットワーク要素への指定されたスペクトル量を要求するトリガーとして機能する前記第２のワイヤレス通信システムからのシグナリングの受信に応じて、前記グループ調整プロセスを実行する段階を含みうる。
【００３１】
上記の通り、第１の態様の方法は、第２のトリガータイプの動作の一部を（追加的または代替的に）なしてもよい。この場合、本方法は、前記スペクトル割り当てプロセスのインスタンスをトリガーするために前記グループ調整プロセスを周期的に実行する段階を含む。「周期的（periodically）」との用語は、前のインスタンスから（一定または可変の）時間が経過すると、グループ調整プロセスの各インスタンスが実行されることを意味する。すなわち、グループ調整プロセスが場合に応じて繰り返し実行される。
【００３２】
既述の通り、ＴＤＤモードを用いて動作するように、第１のワイヤレス通信システム（例えば、メトロポリタンエリアネットワーク）を構成し、本方法は、第１のワイヤレス通信システムに時分割多重モードを用いて動作するようにしてもよい。この場合、ＴＤＤ方式はうまく動作するためには一般的に正確な同期を必要とするので、スペクトル割り当てプロセスの後のスペクトル使用が変更されると、それが第１のワイヤレス通信システムの同期プロセスにリンクしているとよい。一実施形態では、本方法は、前記グループ調整プロセスの後にスペクトル割り当てのインスタンスを実行し、スペクトル割り当てプロセスの結果を前記第１のワイヤレス通信システムの同期モジュールに通知してもよい。
【００３３】
第２の態様によると、第１のワイヤレス通信システムと第２のワイヤレス通信システムの一方が他方にスペクトルの一部を割り当てるスペクトル割り当てプロセスに参加する第２のワイヤレス通信システムにおけるスペクトル使用の制御方法が提供される。前記第１のワイヤレス通信システムは複数のネットワーク要素を有し、前記複数のネットワーク要素の一部または全部は前記第２のワイヤレス通信システムのネットワーク要素に関連するセル内にあり、同一スペクトルバンド内で動作しており、前記方法は、
前記スペクトル割り当てプロセスにおいて、前記第２のワイヤレス通信システムのネットワーク要素から前記第１のワイヤレス通信システムのネットワーク要素に割り当てられる、または前記第１のワイヤレス通信システムのネットワーク要素から前記第２のワイヤレス通信システムのネットワーク要素に割り当てる必要があるスペクトル部分を特定する段階を含む。
【００３４】
本方法は、前記第１のワイヤレス通信システムの各ネットワーク要素から前記第２のワイヤレス通信システムのネットワーク要素に割り当てできる、または前記第２のワイヤレス通信システムのネットワーク要素から前記第１のワイヤレス通信システムの各ネットワーク要素に割り当てる必要があるスペクトル部分を特定する段階を含んでもよい。
【００３５】
本方法は、第２のワイヤレス通信システムのネットワーク要素からの送信されるのを待っているデータを分析して、そのデータの送信に要するバンド幅を決定する段階を含み、また、第２のワイヤレス通信システムのネットワーク要素に割り当てられているスペクトル量と、そのネットワーク要素が必要とするバンド幅との差を計算する段階をさらに含んでもよい。さらに、本方法は、前記第２のワイヤレス通信システムから前記第１のワイヤレス通信システムに、前記計算された差にサイズ的に対応するスペクトル部分が、前記差の符号に応じて、前記第２のワイヤレス通信システムのネットワーク要素から前記第１のワイヤレス通信システムに割り当てできるか、または前記第１のワイヤレス通信システムから前記第２のワイヤレス通信システムのネットワーク要素に割り当てを要求されていることを示すシグナリングを送信する段階をさらに含んでもよい。
【００３６】
上記の通り、第２の態様の方法は第１のトリガータイプ自体の動作の一部をなし、または第２のトリガータイプに対する応答の一部をなす。
【００３７】
本方法が第２のトリガータイプに対する応答の一部をなす場合、本方法は、前記第２のワイヤレス通信システムのネットワーク要素から前記第１のワイヤレス通信システムへの指定されたスペクトル量の割り当てを要求するトリガーとして機能する前記第１のワイヤレス通信システムからのシグナリングの受信に応じて、前記方法を実行する段階を含む。
【００３８】
本方法が第１のトリガータイプの動作の一部をなす場合、本方法は、スペクトル割り当てプロセスのインスタンスをトリガーするために本方法を周期的に実行する段階を含む。
【００３９】
前記第１のワイヤレス通信システムにシグナリングを送信する段階は、前記第１のワイヤレス通信システムのリードネットワーク要素にシグナリングを送信する段階を含んでもよい。
【００４０】
本方法は、前記第２のワイヤレス通信システムに周波数分割多重モードを用いさせる段階を含んでもよい。
【００４１】
第３の態様によると、第１のワイヤレス通信システムと第２のワイヤレス通信システムの一方が他方にスペクトルの一部を割り当てるスペクトル割り当てプロセスに参加する第１のワイヤレス通信システムにおけるスペクトル使用の制御装置が提供される。前記第１のワイヤレス通信システムは複数のネットワーク要素を有し、前記複数のネットワーク要素の一部または全部は前記第２のワイヤレス通信システムのネットワーク要素に関連するセル内にあり、同一スペクトルバンド内で動作しており、前記装置は、前記第１のワイヤレス通信システムのネットワーク要素を調整して、前記第１のワイヤレス通信システムのネットワーク要素から前記第２のワイヤレス通信システムのネットワーク要素に割り当てられるスペクトル部分、または前記第２のワイヤレス通信システムのネットワーク要素から第１のワイヤレス通信システムのネットワーク要素に割当が必要なスペクトル部分を特定する調整段階を含むグループ調整プロセスを実行する調整回路を含む。
【００４２】
前記調整回路は、前記第１のワイヤレス通信システムのネットワーク要素を調整して、前記スペクトル割り当てプロセスにおいて、前記第１のワイヤレス通信システムのネットワーク要素から前記第２のワイヤレス通信システムのネットワーク要素に割り当てられるスペクトル部分を特定してもよい。
【００４３】
前記調整回路は、前記第１のワイヤレス通信システムのネットワーク要素を調整して、前記第１のワイヤレス通信システムのネットワーク要素から割り当てできる最小スペクトル量のスペクトル部分を特定することもできる。
【００４４】
前記調整回路は、前記第１のワイヤレス通信システムの各ネットワーク要素のトラフィックバッファ量を分析し、前記トラフィックバッファ量に応じて前記第１のワイヤレス通信システムの各ネットワーク要素が必要とするスペクトル量を決定し、各ネットワーク要素が必要とするスペクトル量を前記第１の通信システムに現在割り当てられているスペクトル量と比較して、各ネットワーク要素について差を求め、最小差を選択してスペクトルの最小量を特定することもできる。
【００４５】
前記調整回路は、ルックアップテーブルを用いて、各ネットワーク要素のトラフィックバッファ量をスペクトル量にマッピングしてもよい。
【００４６】
前記調整回路は、前記第１のワイヤレス通信システムのネットワーク要素を調整して、前記第２のワイヤレス通信システムのネットワーク要素から前記第１のワイヤレス通信システムのネットワーク要素に割り当てる必要があるスペクトル部分を特定してもよい。
【００４７】
前記調整回路は、前記第１のワイヤレス通信システムの各ネットワーク要素から前記第２のワイヤレス通信システムのネットワーク要素に割り当てできる、または前記第２のワイヤレス通信システムのネットワーク要素から前記第１のワイヤレス通信システムの各ネットワーク要素に割り当てる必要があるスペクトル部分を特定することができる。
【００４８】
前記調整回路は、前記第１のワイヤレス通信システムのネットワーク要素の１つに前記第１のワイヤレス通信システムの他のネットワーク要素を調整させる。
【００４９】
調整回路は、前記第１のワイヤレス通信システムの前記１つのネットワーク要素から前記他のネットワーク要素に、前記グループ調整プロセスの開始を示すシグナリングであって、そのシグナリングに応じて、前記他のネットワーク要素の各々が、送信されるのを待っているデータを分析して前記データの送信に必要なバンド幅を決定し、必要なバンド幅を示すシグナリングを前記１つのネットワーク要素に送信するシグナリングを送信し、他のネットワーク要素の各々から前記シグナリングを受信してもよい。
【００５０】
前記調整回路は、前記第１のワイヤレス通信システムの前記１つのネットワーク要素からの送信されるのを待つデータを分析し、前記データの送信に必要なバンド幅を決定することもできる。
【００５１】
前記調整回路は、各ネットワーク要素が必要とするバンド幅を前記第１の通信システムに割り当てられているスペクトル量と比較して、各ネットワーク要素について差を求め、前記最小差を選択することもできる。
【００５２】
前記調整回路は、前記第１のワイヤレス通信システムから前記第２のワイヤレス通信システムに、前記最小差にサイズ的に対応するスペクトル部分が、前記差の符号に応じて、前記第１のワイヤレス通信システムの各ネットワーク要素から前記第２のワイヤレス通信システムのネットワーク要素に割り当てできるか、または前記第２のワイヤレス通信システムのネットワーク要素から前記第１のワイヤレス通信システムの各ネットワーク要素に割り当てを要求されていることを示すシグナリングを送信してもよい。
【００５３】
前記調整回路は、前記第１のワイヤレス通信システムから前記第２のワイヤレス通信システムの前記ネットワーク要素への指定されたスペクトル量を要求するトリガーとして機能する前記第２のワイヤレス通信システムからのシグナリングの受信に応じて、前記グループ調整プロセスを実行してもよい。
【００５４】
前記調整回路は、前記スペクトル割り当てプロセスのインスタンスをトリガーするために前記グループ調整プロセスを周期的に実行することができる。
【００５５】
本装置は、前記グループ調整プロセスの後に前記スペクトル割り当てプロセスのインスタンスを実行し、前記スペクトル割り当てプロセスの結果を前記第１のワイヤレス通信システムの同期モジュールに通知する。
【００５６】
第４の態様によると、第１のワイヤレス通信システムと第２のワイヤレス通信システムの一方が他方にスペクトルの一部を割り当てるスペクトル割り当てプロセスに参加する第２のワイヤレス通信システムにおけるスペクトル使用の制御装置が提供される。前記第１のワイヤレス通信システムは複数のネットワーク要素を有し、前記複数のネットワーク要素の一部または全部は前記第２のワイヤレス通信システムのネットワーク要素に関連するセル内にあり、同一スペクトルバンド内で動作しており、前記装置は、
前記スペクトル割り当てプロセスにおいて、前記第２のワイヤレス通信システムのネットワーク要素から前記第１のワイヤレス通信システムのネットワーク要素に割り当てられる、または前記第１のワイヤレス通信システムのネットワーク要素から前記第２のワイヤレス通信システムのネットワーク要素に割り当てる必要があるスペクトル部分を特定する特定回路を含む。
【００５７】
前記特定回路は、前記第１のワイヤレス通信システムの各ネットワーク要素から前記第２のワイヤレス通信システムのネットワーク要素に割り当てできる、または前記第２のワイヤレス通信システムのネットワーク要素から前記第１のワイヤレス通信システムの各ネットワーク要素に割り当てる必要があるスペクトル部分を特定することができる。
【００５８】
前記特定回路は、前記第２のワイヤレス通信システムの前記１つのネットワーク要素から送信されるのを待つデータを分析し、前記データの送信に必要なバンド幅を決定することができる。
【００５９】
前記特定回路は、前記第２のワイヤレス通信システムのネットワーク要素に現在割り当てられているスペクトル量と、前記ネットワーク要素が必要とするバンド幅との差を計算してもよい。
【００６０】
前記特定回路は、前記第２のワイヤレス通信システムから前記第１のワイヤレス通信システムに、前記計算された差にサイズ的に対応するスペクトル部分が、前記差の符号に応じて、前記第２のワイヤレス通信システムのネットワーク要素から前記第１のワイヤレス通信システムに割り当てできるか、または前記第１のワイヤレス通信システムから前記第２のワイヤレス通信システムのネットワーク要素に割り当てを要求されていることを示すシグナリングを送信してもよい。
【００６１】
前記特定回路は、前記第２のワイヤレス通信システムのネットワーク要素から前記第１のワイヤレス通信システムへの指定されたスペクトル量の割り当てを要求するトリガーとして機能する前記第１のワイヤレス通信システムからのシグナリングの受信に応じて、前記スペクトルの一部を特定してもよい。
【００６２】
前記特定回路は、前記スペクトル割り当てプロセスのインスタンスをトリガーするために前記スペクトル部分を周期的に特定することができる。
【００６３】
前記特定回路は、前記第１のワイヤレス通信システムのリードネットワーク要素にシグナリングを送信してもよい。
【００６４】
第５の態様によると、第１のワイヤレス通信システムと第２のワイヤレス通信システムの一方が他方にスペクトルの一部を割り当てるスペクトル割り当てプロセスに参加する第１のワイヤレス通信システムにおけるスペクトル使用の制御方法が提供される。前記第１のワイヤレス通信システムは複数のネットワーク要素を有し、前記複数のネットワーク要素の一部または全部は前記第２のワイヤレス通信システムのネットワーク要素に関連するセル内にあり、時分割多重方式を用いて同一スペクトルバンド内で動作しており、前記第２のワイヤレス通信システムは周波数分割多重方式を用い、前記方法は、グループ調整プロセスを実行する段階は、前記第１のワイヤレス通信システムのネットワーク要素を調整して、前記第１のワイヤレス通信システムから前記第２のワイヤレス通信システムのネットワーク要素に割り当てできるスペクトル部分を特定する調整段階と、前記スペクトル割り当てプロセスにおいて前記第１のワイヤレス通信システムから前記第２のワイヤレス通信システムのネットワーク要素に特定されたスペクトル部分を割り当てる割り当て段階と、前記スペクトル割り当てプロセスの後にスペクトル構成を示すシグナリングを前記第１のワイヤレス通信システムの同期モジュールに送信する送信段階と、前記第１のワイヤレス通信システムに、前記同期モジュールの動作と連携して前記スペクトル構成に切り替えさせる切り替え段階とを含む。
【００６５】
第６の態様によると、第１のワイヤレス通信システムと第２のワイヤレス通信システムの一方が他方にスペクトルの一部を割り当てるスペクトル割り当てプロセスに参加する第１のワイヤレス通信システムにおけるスペクトル使用の制御装置が提供される。前記第１のワイヤレス通信システムは複数のネットワーク要素を有し、前記複数のネットワーク要素の一部または全部は前記第２のワイヤレス通信システムのネットワーク要素に関連するセル内にあり、時分割多重方式を用いて同一スペクトルバンド内で動作しており、前記第２のワイヤレス通信システムは周波数分割多重方式を用い、前記装置は、グループ調整プロセスを実行する段階は、前記第１のワイヤレス通信システムのネットワーク要素を調整して、前記第１のワイヤレス通信システムから前記第２のワイヤレス通信システムのネットワーク要素に割り当てできるスペクトル部分を特定する調整回路と、前記スペクトル割り当てプロセスにおいて前記第１のワイヤレス通信システムから前記第２のワイヤレス通信システムのネットワーク要素に特定されたスペクトル部分を割り当てるスペクトル割り当て回路と、前記スペクトル割り当て回路は、前記スペクトル割り当てプロセスの後にスペクトル構成を示すシグナリングを前記第１のワイヤレス通信システムの同期モジュールに送信し、前記第１のワイヤレス通信システムに、前記同期モジュールの動作と連携して前記スペクトル構成に切り替えさせる制御回路とを含む。
【００６６】
第７の態様によると、ネットワーク要素または外部制御要素の一部であるコンピュータで実行されたとき、前記コンピュータに第１、第２、または第５の態様の方法を実行させるコンピュータプログラムが提供される。
【００６７】
第８の態様によると、ネットワーク要素または外部制御要素の一部であるコンピュータにロードされたとき、前記コンピュータを第３、第４、または第６の態様の装置にするコンピュータプログラムが提供される。
【００６８】
第９の態様によると、記録媒体及び／または伝送媒体であり得るキャリア媒体により担われた、第７または第８の態様のコンピュータプログラムが提供される。
【００６９】
第１０の態様によると、コンピュータで実行されると、前記コンピュータに、第１のワイヤレス通信システムと第２のワイヤレス通信システムの一方が他方にスペクトルの一部を割り当てるスペクトル割り当てプロセスに参加する第１のワイヤレス通信システムにおけるスペクトル使用の制御方法を実行させるコンピュータプログラムが提供される。前記第１のワイヤレス通信システムは複数のネットワーク要素を有し、前記複数のネットワーク要素の一部または全部は前記第２のワイヤレス通信システムのネットワーク要素に関連するセル内にあり、同一スペクトルバンド内で動作しており、前記方法は、前記第１のワイヤレス通信システムのネットワーク要素を調整して、前記第１のワイヤレス通信システムのネットワーク要素から前記第２のワイヤレス通信システムのネットワーク要素に割り当てられるスペクトル部分、または前記第２のワイヤレス通信システムのネットワーク要素から第１のワイヤレス通信システムのネットワーク要素に割当が必要なスペクトル部分を特定する調整段階を含むグループ調整プロセスを実行する段階を含む。
【００７０】
第１１の態様によると、第１のワイヤレス通信システムと第２のワイヤレス通信システムの一方が他方にスペクトルの一部を割り当てるスペクトル割り当てプロセスに参加する第１のワイヤレス通信システムにおけるスペクトル使用の制御するコンピュータプログラムが提供される。前記第１のワイヤレス通信システムは複数のネットワーク要素を有し、前記複数のネットワーク要素の一部または全部は前記第２のワイヤレス通信システムのネットワーク要素に関連するセル内にあり、同一スペクトルバンド内で動作しており、前記コンピュータプログラムは、前記第１のワイヤレス通信システムのネットワーク要素を調整して、前記第１のワイヤレス通信システムのネットワーク要素から前記第２のワイヤレス通信システムのネットワーク要素に割り当てられるスペクトル部分、または前記第２のワイヤレス通信システムのネットワーク要素から第１のワイヤレス通信システムのネットワーク要素に割当が必要なスペクトル部分を特定する調整段階を含むグループ調整プロセスを実行する調整コードを含む。
【００７１】
回路にはプロセッサ、メモリ、バスラインが含まれ得る。上記の回路は回路要素を共有していてもよい。
【００７２】
本発明は、（特許請求の範囲を含めて）特段の言及の存否にかかわらず、単独の、または様々な組み合わせの１つまたは複数の態様、実施形態、または特徴を含む。
【００７３】
上記の概要は例示であり限定ではない。
【００７４】
本発明の実施形態は、階層的オーバーレイセルラーネットワークにおけるモード間スペクトル割り当て方法に関する。
【００７５】
ＷＡ中にアロケーションされたＭＡの各ＢＳグループはクラスターとしてグループ化でき、１つのＢＳがそのＢＳクラスターのリーダーであると仮定する。
【００７６】
階層的オーバーレイセルラーネットワークにおけるモード間スペクトル割り当てを開始する２つのトリガータイプ（trigger  types）を開示する。
【００７７】
第１のトリガータイプでは、短期的に、セルＷＡ１の基地局ＢＳ１がそのバッファ中で送信を待つデータ（current  data）を測定する。
【数１】
0005228945.tif 000002
ここで、ｄｋはその時点にｋ番目のバッファにあるデータ量である。データＤの量がある閾値より大きければ、セルＷＡ１の基地局ＢＳ１は余分のトラフィックロードを測定し、データを安全に配信するために必要なスペクトルの余分なサブチャンクにそのトラフィックロードをマッピングする。図４に示したように、セルＷＡ１の基地局ＢＳ１は、ＭＡ基地局のリーダーであるセルＭＡ１にＭＡＮからそのスペクトル量を受け取るように依頼する第１のトリガータイプの信号を送信する。この時、必要なスペクトルのチャンクがラジオスペクトルバンド中のどこであるかは特定しない。
【００７８】
第２のトリガータイプはグループ調整されたトリガープロセスであり、このトリガータイプでは、図５に示したように、短期的かつ周期的に、リーダーのセルＭＡ１が最初に他のＭＡ基地局にグループ調整されたトリガープロセスの開始を通知する。ＭＡＮの各基地局は送信されるのを待つデータを測定する：
【数２】
0005228945.tif 000003
ここで、ｄｋｎはＭＡＮのｎ番目の基地局のｋ番目のバッファにあるデータ量である。各基地局は、ルックアップテーブルを用いて、送信されるのを待つデータを必要なスペクトル量Ｂｎにマッピングする（マッピングのとき、基地局はその時点のラジオチャネルを考慮してもよい）。次に、関与するすべての基地局は、図６に示したように、推定要求スペクトル（estimated  requested  spectrum）をＭＡ１のリーダー基地局ＭＡ１に送る。ＭＡに現在割り当てられている全バンド幅をＷとすると、リーダー基地局ＢＳは次のＢＷを決定する。
【数３】
0005228945.tif 000004
【００７９】
ＢＷ＜０のとき、リーダー基地局ＭＡ１は、図７に示したように、スペクトル要求を含む信号をＷＡＮの基地局ＢＳ１（すなわち、最も近いＷＡＮ基地局）に送る。一方、ＢＷ＞０のとき、リーダー基地局ＭＡ１は、図７に示したように、基地局ＢＳ１にスペクトルが利用可能でることを通知する信号をＷＡＮの基地局ＢＳ１に送る。
【００８０】
階層的オーバーレイセルラーネットワークにおけるモード間スペクトル割り当てを開始する２つのトリガータイプ（trigger  types）に対する応答を説明する。
【００８１】
第１のトリガータイプに対して、短期的かつ周期的に、リーダーセルＭＡ１は最初に他のＭＡ基地局にグループ調整応答プロセスの開始を通知する。各ＭＡ基地局は送信されるのを待つデータを測定する：
【数４】
0005228945.tif 000005
ここで、ｄｋｎはＭＡＮのｎ番目の基地局のｋ番目のバッファにあるデータ量である。各基地局は、ルックアップテーブルを用いて、送信されるのを待つデータを、開放可能なスペクトル量Ｂｎにマッピングする（マッピングのとき、基地局はその時点のラジオチャネルを考慮してもよい）。次に、関与するすべての基地局は、図８に示したように、推定要求スペクトル（estimated  requested  spectrum）をリーダー基地局ＭＡ１に送る。ＭＡに現在割り当てられている全バンド幅をＷとすると、リーダー基地局ＢＳは次のＢＷを決定する。
【数５】
0005228945.tif 000006
【００８２】
ＢＷ＞０のとき、リーダー基地局ＭＡ１は、図９に示したように、ＷＡ基地局ＢＳ１に、利用可能バンド幅を通知する。
【００８３】
２つのシステムは、図１０に示すように、新しいスペクトルを受け入れ、スペクトル割り当てプロセスが完了する。図１０の右側に示したスペクトルに含まれる黒い部分は、ＭＡセルＭＡ１−３からＷＡセルＷＡ１に割り当てられたスペクトル部分を示す。この部分はもはやＴＤＤでは使われておらず、ＦＤＤで使われているおり、ＷＡネットワークに属するとして示したサブチャンクの一つである。
【００８４】
第２のトリガータイプへの応答では、ＷＡ基地局ＢＳ１は、最初にＭＡのリーダーであるセルＭＡ１からスペクトル要求またはスペクトルの利用可能性を受け取る。
【００８５】
ＷＡ基地局ＢＳ１は送信されるのを待つデータを測定する：
【数６】
0005228945.tif 000007
ここで、ｄｋはＷＡ基地局ＢＳ１のｋ番目のバッファにあるデータ量である。ＷＡ基地局ＢＳ１は、ルックアップテーブルを用いて、送信されるのを待つデータを、データの送信に必要なスペクトル量Ｂにマッピングする（マッピングのとき、ＢＳはその時点のラジオチャネルを考慮してもよい）。ＭＡセルに現在割り当てられている全バンド幅をＷとすると、ＷＡ基地局ＢＳは次のＢＷを決定する。
【数７】
0005228945.tif 000008
【００８６】
ＢＷ＞０であり、ＭＡＮのリーダー基地局であるセルＭＡ１がスペクトルを要求しているとき、ＷＡ基地局ＢＳ１は、図１１に示したように、ＭＡのリーダーＭＡ１に、利用可能なスペクトル量を通知する。
【００８７】
ＭＡリーダーセルＭＡ１が許可されるスペクトル量に満足すれば、プロセスは完了し、ＭＡＮとＷＡＮは、図１２に示したように、新しいスペクトル構成に切り替える。
【００８８】
一方、ＢＷ＜０であり、ＭＡリーダーセルＭＡ１がスペクトルの利用可能性を示すシグナリングをしていたとき、ＷＡ基地局ＢＳ１は、図１３に示したように、ＭＡリーダーセルＭＡ１に、割り当てされる利用可能スペクトルでよいことを通知する。
【００８９】
図１４Ａは、第１のトリガータイプのインスタンスと、第１のトリガータイプへのレスポンスとのためのプロトコルを示す図である。図から分かるように、マクロセルＢＳは周期的にトラフィックバッファのバッファ量（load）を閾値と比較する。この閾値はサービス品質とトラフィックタイプに応じて設定できる。バッファ量は特定の量を超えないことが好ましく、そうしないとバッファのオーバーフローが生じ、ＱｏＳが低下してしまう。トラフィックバッファのバッファ量がその閾値より大きいとき、マクロセルＢＳは、（所定のルックアップテーブルを用いて）、バッファ量をその閾値以下のレベルに低下させるために、余分に必要なスペクトル量を決定する。トラフィックバッファ量を用いてトラフィックデータパイプ（data  pipe）をスペクトルパイプ（spectrum  pipe）にマッピングして、ダイナミックスペクトルアロケーションのプロセスをトラフィック、データパイプ、及び干渉の変更プロセスにリンクさせてもよい。マクロセルＢＳは、マイクロセルＢＳリーダー（例えばＭＡセルＭＡ１）に必要なスペクトル量を特定したスペクトル要求を送信する。マイクロセルＢＳリーダーは、その他の各マイクロセルＢＳに、その時の（current）トラフィックバッファ量に関する情報の要求を送信する。各マイクロセルＢＳ（例えば、ＭＡセルＷＡ２、ＷＡ３）は、トラフィックバッファで送信されるのを待っている全データ量を判定し、（所定のルックアップテーブルを用いて）トラフィック量をマイクロセルＢＳが必要なスペクトル量にマッピングする。このスペクトル量がこのマイクロセルＢＳへのその時のスペクトルアロケーションより小さければ、ＢＳはマイクロセルＢＳリーダーに、開放可能なスペクトル量を通知する信号を送る。さもなければ、マイクロセルＢＳは、利用可能スペクトルはないことを通知し、プロセスが終了する。マイクロセルＢＳリーダーは、マイクロセルＢＳから受け取った最小限のスペクトル解放レポート（自局のスペクトル開放レポートを含む）を選択して、マクロセルＢＳに開放できるスペクトルの総量（及びそのＩＤ）を決定する。マイクロセルＢＳリーダーは、マイクロセルサブレイヤー（micro-cell  sub-layer）から解放できるスペクトルの量とＩＤをマクロセルＢＳにレポートする。マクロセルＢＳは、そのオファー（開放できるスペクトルの量とＩＤ）を評価して（最終的なスペクトル構成がマクロセルＢＳに干渉の点で害がないことを確認し）、オファーを受けられる場合は、マイクロセルＢＳリーダーに、新しいスペクトル割り当てに進むように要求を送り応答する。（オファーをうけることができないときは、プロセスは終了する。）マイクロセルＢＳリーダーは、マイクロセルＢＳに、新しいスペクトル割り当てをする要求（及び解法するスペクトルのＩＤ）を送信する。マイクロセルＢＳはマイクロセルＢＳリーダーにアクノレッジメント（acknowledgement）を送り、マイクロセルＢＳリーダーはマクロセルＢＳにアクノレッジメントを送る。次に、マクロセルＢＳ、マイクロセルＢＳリーダー、及びマイクロセルＢＳは新しいスペクトル構成を受け入れる。
【００９０】
図１４Ｂは、第２のトリガータイプのインスタンスと、第２のトリガータイプへのレスポンスとのためのプロトコルを示す図である。マイクロセルＢＳリーダーは、グループ調整トリガープロセスの開始のシグナルをマイクロセルＢＳに送る。各マイクロセルＢＳは、トラフィックバッファで送信されるのを待っている全データ量を判定し、（所定のルックアップテーブルを用いて）トラフィック量をマイクロセルＢＳが必要なスペクトル量にマッピングする。次に、各マイクロセルＢＳは、ＢＷ＝（その時のスペクトルアロケーション）−（必要スペクトル）を決定し、マイクロセルＢＳリーダーにＢＷ（各ＢＳが開放できる総スペクトル量、または各ＢＳが必要とする総スペクトル量）をレポートする。マイクロセルＢＳリーダーは、マイクロセルＢＳから受け取った最小限のＢＷレポートを選択して、マクロセルＢＳに開放できるスペクトルの総量（または、マイクロセルレイヤーが必要とする量）を決定する。（２つ以上のマイクロセルＢＳがマクロセルＢＳからのスペクトルを必要とする場合、本方法は、最小限のＢＷレポートではなく最大限のＢＷレポートを選択して、マイクロセルＢＳが十分なバンド幅を持てるようにする段階を含む。さらに、本方法は、最大限のＢＷレポートから始めて、ネゴシエーションが成功しなければ減らしていく段階を含んでもよい。）マイクロセルＢＳリーダーは、マイクロセルサブレイヤーから解放できる（またはマイクロセルサブレイヤーが必要とする）スペクトルの量とＩＤをマクロセルＢＳにレポートする。マクロセルＢＳはそのトラフィックバッファ量を閾値と比較して、そのバッファ量を閾値以下のレベルに下げるために、（所定のルックアップテーブルを用いて）そのトラフィックバッファ量をマクロセルＢＳが必要とする余分なスペクトル量にマッピングする。次に、マクロセルＢＳは、ＢＷ１＝（その時点のスペクトルアロケーション）−（必要スペクトル）を決定する。マイクロセルサブレイヤーとマクロセルＢＳのどちらか一方だけがスペクトルを必要としないとき（例えば、sign(BW１)  EXOR  sign(BW)  =  １であるとき）、例えば上記の方法で新しいスペクトル割り当てを特定する。マクロセルＢＳは、マイクロセルＢＳリーダーに、新しいスペクトル割り当てとする要求を送る。マイクロセルＢＳリーダーは、マイクロセルＢＳに、新しいスペクトル割り当てをする要求（及び解法するスペクトルのＩＤ）を送る。マイクロセルＢＳはマイクロセルＢＳリーダーにアクノレッジメント（acknowledgement）を送り、マイクロセルＢＳリーダーはマクロセルＢＳにアクノレッジメントを送る。次に、マクロセルＢＳ、マイクロセルＢＳリーダー、及びマイクロセルＢＳは新しいスペクトル構成を受け入れる。
【００９１】
以下の説明は、性能評価とシミュレーション結果に関する。シミュレーションのために、ＷＡセル内に３つのＭＡ  ＢＳがあると仮定する。ＭＡ  ＢＳはＴＤＤモードで動作し、ＷＡ  ＢＳはＦＤＤモードで動作していると仮定する。シミュレーションのために選んだビットエラーレート（ＢＥＲ）は１０−３であり、リードミュラーチャネルコードＲＭ（１，ｍ）を用いるものと仮定する。ラジオノードに送信レートと目標ＳＩＲ値を調整させるために、データパケットのアダプティブチャネルコーディングレートとラジオノードを考える。表１に示したＳＩＲの結果を使って等価スループットの結果を求めることができる。
【表１】
0005228945.tif 000009
【００９２】
図１５Ａは、スペクトルの開放直前の、短期スペクトル割り当てプロセスの干渉レベルに対するインパクトのシミュレーション結果を示す図である。
【００９３】
一方、図１５Ｂは、短期スペクトル割り当てプロセス完了後の、短期スペクトル割り当てプロセスの干渉レベルに対するインパクトのシミュレーション結果を示す図である。図から分かるように、ネゴシエーションが成功し、スペクトルの一部がＭＡから問題のＷＡ  ＢＳにアロケーションされると、干渉が減少し、ＳＩＲが向上する。
【００９４】
図１６は、スペクトル割り当ての段階に対する本発明のインパクトを示す図である。短期スペクトル割り当てとセル間リソースパーティショニングに大きなインパクトがある。
【００９５】
言うまでもなく、上記の回路は説明した機能に加えて他の機能を有してもよく、これらの機能は同じ回路で実行できてもよい。
【００９６】
出願人は、特許請求の範囲を限定することなく、ここに開示した問題を解決できるかどうかにかかわらず、当業者の通常の知識を考慮して本明細書全体に基づき実施できる程度に、ここで説明した個別の特徴及びかかる特徴の組み合わせをここに開示した。本発明の態様はかかる個別の特徴またはその組み合わせよりなる。上記の説明を考慮して、本発明の範囲内において様々な修正をすることができることは、当業者には明らかであろう。本発明は以下の付記にも及ぶ。
（付記１）第１のワイヤレス通信システムと第２のワイヤレス通信システムの一方が他方にスペクトルの一部を割り当てるスペクトル割り当てプロセスに参加する第１のワイヤレス通信システムにおけるスペクトル使用の制御方法であって、前記第１のワイヤレス通信システムは複数のネットワーク要素を有し、前記複数のネットワーク要素の一部または全部は前記第２のワイヤレス通信システムのネットワーク要素に関連するセル内にあり、同一スペクトルバンド内で動作しており、前記方法は、
前記第１のワイヤレス通信システムのネットワーク要素を調整して、前記第１のワイヤレス通信システムのネットワーク要素から前記第２のワイヤレス通信システムのネットワーク要素に割り当てできるスペクトル部分、または前記第２のワイヤレス通信システムのネットワーク要素から第１のワイヤレス通信システムのネットワーク要素に割り当てを要するスペクトル部分を特定する調整段階を含むグループ調整プロセスを実行する段階を含む方法。
（付記２）前記グループ調整プロセスにおいて、前記第１のワイヤレス通信システムのネットワーク要素を調整して、前記スペクトル割り当てプロセスにおいて、前記第１のワイヤレス通信システムのネットワーク要素から前記第２のワイヤレス通信システムのネットワーク要素に割り当てできるスペクトル部分を特定する調整段階を含む、付記１に記載の方法。
（付記３）前記第１のワイヤレス通信システムのネットワーク要素を調整して前記スペクトル部分を特定する段階は、前記第１のワイヤレス通信システムのネットワーク要素から割り当てできる最小スペクトル量のスペクトル部分を特定する段階を含む、付記２に記載の方法。
（付記４）前記第１のワイヤレス通信システムのネットワーク要素から割り当てできる最小スペクトル量のスペクトル部分を特定する段階は、前記第１のワイヤレス通信システムの各ネットワーク要素のトラフィックバッファ量を分析する段階と、トラフィックバッファ量に応じて前記第１のワイヤレス通信システムの各ネットワーク要素が必要とするスペクトル量を決定する段階と、各ネットワーク要素に必要なスペクトル量を前記第１の通信システムに現在割り当てられているスペクトル量と比較して差を求める段階と、差の最小値を選択して前記最小スペクトル量を特定する段階とを含む、付記３に記載の方法。
（付記５）トラフィックバッファ量に応じて前記第１のワイヤレス通信システムの各ネットワーク要素が必要とするスペクトル量を決める段階は、ルックアップテーブルを用いて各ネットワーク要素のトラフィックバッファ量をスペクトル量にマッピングする段階を含む、付記４に記載の方法。
（付記６）前記グループ調整プロセスにおいて、前記第１のワイヤレス通信システムのネットワーク要素を調整して、前記第２のワイヤレス通信システムのネットワーク要素から前記第１のワイヤレス通信システムのネットワーク要素に割り当てを要するスペクトル部分を特定する調整段階を含む、付記１に記載の方法。
（付記７）前記第１のワイヤレス通信システムのネットワーク要素を調整する段階は、前記第１のワイヤレス通信システムの各ネットワーク要素から前記第２のワイヤレス通信システムのネットワーク要素に割り当てできるスペクトル部分、または前記第２のワイヤレス通信システムのネットワーク要素から前記第１のワイヤレス通信システムの各ネットワーク要素に割り当てを要するスペクトル部分を特定する段階を含む、付記１ないし６いずれか一項に記載の方法。
（付記８）前記第１のワイヤレス通信システムのネットワーク要素を調整する段階は、前記第１のワイヤレス通信システムの１つのネットワーク要素に前記第１のワイヤレス通信システムの他のネットワーク要素を調整させる、付記１ないし７いずれか一項に記載の方法。
（付記９）前記第１のワイヤレス通信システムの前記１つのネットワーク要素から前記他のネットワーク要素に、前記グループ調整プロセスの開始を示すシグナリングであって、そのシグナリングに応じて、前記他のネットワーク要素の各々が、送信されるのを待っているデータを分析して前記データの送信に必要なバンド幅を決定し、必要なバンド幅を示すシグナリングを前記１つのネットワーク要素に送信するシグナリングを送信する段階と、
前記１つのネットワーク要素において、前記他のネットワーク要素の各々からの前記シグナリングを受信する段階とを含む、付記８に記載の方法。
（付記１０）前記第１のワイヤレス通信システムの前記１つのネットワーク要素からの送信されるのを待つデータを分析し、前記データの送信に必要なバンド幅を決定する段階を含む、付記９に記載の方法。
（付記１１）各ネットワーク要素が必要とするバンド幅を前記第１の通信システムに割り当てられているスペクトル量と比較して、各ネットワーク要素について差を求め、前記最小差を選択する段階を含む、付記１０に記載の方法。
（付記１２）前記第１のワイヤレス通信システムから前記第２のワイヤレス通信システムに、前記最小差にサイズ的に対応するスペクトル部分が、前記差の符号に応じて、前記第１のワイヤレス通信システムの各ネットワーク要素から前記第２のワイヤレス通信システムのネットワーク要素に割り当てできるか、または前記第２のワイヤレス通信システムのネットワーク要素から前記第１のワイヤレス通信システムの各ネットワーク要素に割り当てを要求されていることを示すシグナリングを送信する段階を含む、付記１１に記載の方法。
（付記１３）前記１つのネットワーク要素は前記第１のワイヤレス通信システムのリードネットワーク要素である、付記８ないし１２いずれか一項に記載の方法。
（付記１４）前記第１のワイヤレス通信システムから前記第２のワイヤレス通信システムの前記ネットワーク要素への指定されたスペクトル量を要求するトリガーとして機能する前記第２のワイヤレス通信システムからのシグナリングの受信に応じて、前記グループ調整プロセスを実行する段階を含む、付記１ないし１３いずれか一項に記載の方法。
（付記１５）前記スペクトル割り当てプロセスのインスタンスをトリガーするために前記グループ調整プロセスを周期的に実行する段階を含む、付記１ないし１３いずれか一項に記載の方法。
（付記１６）前記第１のワイヤレス通信システムに時分割多重モードを用いさせる段階を含む、付記１ないし１５いずれか一項に記載の方法。
（付記１７）前記グループ調整プロセスの後にスペクトル割り当てのインスタンスを実行し、スペクトル割り当てプロセスの結果を前記第１のワイヤレス通信システムの同期モジュールに通知する、付記１６に記載の方法。
（付記１８）第１のワイヤレス通信システムと第２のワイヤレス通信システムの一方が他方にスペクトルの一部を割り当てるスペクトル割り当てプロセスに参加する第２のワイヤレス通信システムにおけるスペクトル使用の制御方法であって、前記第１のワイヤレス通信システムは複数のネットワーク要素を有し、前記複数のネットワーク要素の一部または全部は前記第２のワイヤレス通信システムのネットワーク要素に関連するセル内にあり、同一スペクトルバンド内で動作しており、前記方法は、
前記スペクトル割り当てプロセスにおいて、前記第２のワイヤレス通信システムのネットワーク要素から前記第１のワイヤレス通信システムのネットワーク要素に割り当てできる、または前記第１のワイヤレス通信システムのネットワーク要素から前記第２のワイヤレス通信システムのネットワーク要素に割り当てを要するスペクトル部分を特定する段階を含む方法。
（付記１９）前記第１のワイヤレス通信システムの各ネットワーク要素から前記第２のワイヤレス通信システムのネットワーク要素に割り当てできる、または前記第２のワイヤレス通信システムのネットワーク要素から前記第１のワイヤレス通信システムの各ネットワーク要素に割り当てを要するスペクトル部分を特定する段階を含む、付記１８に記載の方法。
（付記２０）前記第２のワイヤレス通信システムの前記１つのネットワーク要素から送信されるのを待つデータを分析し、前記データの送信に必要なバンド幅を決定する段階を含む、付記１８または１９に記載の方法。
（付記２１）前記第２のワイヤレス通信システムのネットワーク要素に現在割り当てられているスペクトル量と、前記ネットワーク要素が必要とするバンド幅との差を計算する段階を含む、付記２０に記載の方法。
（付記２２）前記第２のワイヤレス通信システムから前記第１のワイヤレス通信システムに、前記計算された差にサイズ的に対応するスペクトル部分が、前記差の符号に応じて、前記第２のワイヤレス通信システムのネットワーク要素から前記第１のワイヤレス通信システムに割り当てできるか、または前記第１のワイヤレス通信システムから前記第２のワイヤレス通信システムのネットワーク要素に割り当てを要求されていることを示すシグナリングを送信する段階を含む、付記２１に記載の方法。
（付記２３）前記第２のワイヤレス通信システムのネットワーク要素から前記第１のワイヤレス通信システムへの指定されたスペクトル量の割り当てを要求するトリガーとして機能する前記第１のワイヤレス通信システムからのシグナリングの受信に応じて、前記方法を実行する段階を含む、付記１８ないし２２いずれか一項に記載の方法。
（付記２４）前記スペクトル割り当てプロセスのインスタンスをトリガーするために前記方法を周期的に実行する段階を含む、付記２３に記載の方法。
（付記２５）前記第１のワイヤレス通信システムにシグナリングを送信する段階は、前記第１のワイヤレス通信システムのリードネットワーク要素にシグナリングを送信する段階を含む、付記２２ないし２４いずれか一項に記載の方法。
（付記２６）前記第２のワイヤレス通信システムに周波数分割多重モードを用いさせる段階を含む、付記１８ないし２５いずれか一項に記載の方法。
（付記２７）第１のワイヤレス通信システムと第２のワイヤレス通信システムの一方が他方にスペクトルの一部を割り当てるスペクトル割り当てプロセスに参加する第１のワイヤレス通信システムにおけるスペクトル使用の制御装置であって、前記第１のワイヤレス通信システムは複数のネットワーク要素を有し、前記複数のネットワーク要素の一部または全部は前記第２のワイヤレス通信システムのネットワーク要素に関連するセル内にあり、同一スペクトルバンド内で動作しており、前記装置は、
前記第１のワイヤレス通信システムのネットワーク要素を調整して、前記第１のワイヤレス通信システムのネットワーク要素から前記第２のワイヤレス通信システムのネットワーク要素に割り当てできるスペクトル部分、または前記第２のワイヤレス通信システムのネットワーク要素から第１のワイヤレス通信システムのネットワーク要素に割り当てを要するスペクトル部分を特定する調整段階を含むグループ調整プロセスを実行する調整回路を含む装置。
（付記２８）前記調整回路は、前記第１のワイヤレス通信システムのネットワーク要素を調整して、前記スペクトル割り当てプロセスにおいて、前記第１のワイヤレス通信システムのネットワーク要素から前記第２のワイヤレス通信システムのネットワーク要素に割り当てできるスペクトル部分を特定する、付記２７に記載の装置。
（付記２９）前記調整回路は、前記第１のワイヤレス通信システムのネットワーク要素を調整して、前記第１のワイヤレス通信システムのネットワーク要素から割り当てできる最小スペクトル量のスペクトル部分を特定する、付記２８に記載の装置。
（付記３０）前記調整回路は、前記第１のワイヤレス通信システムの各ネットワーク要素のトラフィックバッファ量を分析し、前記トラフィックバッファ量に応じて前記第１のワイヤレス通信システムの各ネットワーク要素が必要とするスペクトル量を決定し、各ネットワーク要素が必要とするスペクトル量を前記第１の通信システムに現在割り当てられているスペクトル量と比較して、各ネットワーク要素について差を求め、最小差を選択してスペクトルの最小量を特定する、付記２９に記載の装置。
（付記３１）前記調整回路は、ルックアップテーブルを用いて、各ネットワーク要素のトラフィックバッファ量をスペクトル量にマッピングする、付記３０に記載の装置。
（付記３２）前記調整回路は、前記第１のワイヤレス通信システムのネットワーク要素を調整して、前記第２のワイヤレス通信システムのネットワーク要素から前記第１のワイヤレス通信システムのネットワーク要素に割り当てを要するスペクトル部分を特定する、付記２７に記載の装置。
（付記３３）前記調整回路は、前記第１のワイヤレス通信システムの各ネットワーク要素から前記第２のワイヤレス通信システムのネットワーク要素に割り当てできる、または前記第２のワイヤレス通信システムのネットワーク要素から前記第１のワイヤレス通信システムの各ネットワーク要素に割り当てを要するスペクトル部分を特定する、付記２７ないし３２いずれか一項に記載の装置。
（付記３４）前記調整回路は、前記第１のワイヤレス通信システムのネットワーク要素の１つに前記第１のワイヤレス通信システムの他のネットワーク要素を調整させる、付記２７ないし３３いずれか一項に記載の装置。
（付記３５）前記調整回路は、
前記第１のワイヤレス通信システムの前記１つのネットワーク要素から前記他のネットワーク要素に、前記グループ調整プロセスの開始を示すシグナリングであって、そのシグナリングに応じて、前記他のネットワーク要素の各々が、送信されるのを待っているデータを分析して前記データの送信に必要なバンド幅を決定し、必要なバンド幅を示すシグナリングを前記１つのネットワーク要素に送信するシグナリングを送信し、
前記１つのネットワーク要素において、前記他のネットワーク要素の各々からの前記シグナリングを受信する、付記３４に記載の装置。
（付記３６）前記調整回路は、前記第１のワイヤレス通信システムの前記１つのネットワーク要素からの送信されるのを待つデータを分析し、前記データの送信に必要なバンド幅を決定する、付記３５に記載の装置。
（付記３７）前記調整回路は、各ネットワーク要素が必要とするバンド幅を前記第１の通信システムに割り当てられているスペクトル量と比較して、各ネットワーク要素について差を求め、前記最小差を選択する、付記３６に記載の装置。
（付記３８）前記調整回路は、前記第１のワイヤレス通信システムから前記第２のワイヤレス通信システムに、前記最小差にサイズ的に対応するスペクトル部分が、前記差の符号に応じて、前記第１のワイヤレス通信システムの各ネットワーク要素から前記第２のワイヤレス通信システムのネットワーク要素に割り当てできるか、または前記第２のワイヤレス通信システムのネットワーク要素から前記第１のワイヤレス通信システムの各ネットワーク要素に割り当てを要求されていることを示すシグナリングを送信する、付記３７に記載の装置。
（付記３９）前記１つのネットワーク要素は前記第１のワイヤレス通信システムのリードネットワーク要素である、付記３４ないし３８いずれか一項に記載の装置。
（付記４０）前記調整回路は、前記第１のワイヤレス通信システムから前記第２のワイヤレス通信システムの前記ネットワーク要素への指定されたスペクトル量を要求するトリガーとして機能する前記第２のワイヤレス通信システムからのシグナリングの受信に応じて、前記グループ調整プロセスを実行する、付記２７ないし３９いずれか一項に記載の装置。
（付記４１）前記調整回路は、前記スペクトル割り当てプロセスのインスタンスをトリガーするために前記グループ調整プロセスを周期的に実行する、付記２７ないし３９いずれか一項に記載の装置。
（付記４２）前記第１のワイヤレス通信システムは時分割多重モードを用いる、付記２７ないし４１いずれか一項に記載の装置。
（付記４３）前記グループ調整プロセスの後に前記スペクトル割り当てプロセスのインスタンスを実行し、前記スペクトル割り当てプロセスの結果を前記第１のワイヤレス通信システムの同期モジュールに通知する、付記４２に記載の装置。
（付記４４）第１のワイヤレス通信システムと第２のワイヤレス通信システムの一方が他方にスペクトルの一部を割り当てるスペクトル割り当てプロセスに参加する第２のワイヤレス通信システムにおけるスペクトル使用の制御装置であって、前記第１のワイヤレス通信システムは複数のネットワーク要素を有し、前記複数のネットワーク要素の一部または全部は前記第２のワイヤレス通信システムのネットワーク要素に関連するセル内にあり、同一スペクトルバンド内で動作しており、前記装置は、
前記スペクトル割り当てプロセスにおいて、前記第２のワイヤレス通信システムのネットワーク要素から前記第１のワイヤレス通信システムのネットワーク要素に割り当てできる、または前記第１のワイヤレス通信システムのネットワーク要素から前記第２のワイヤレス通信システムのネットワーク要素に割り当てを要するスペクトル部分を特定する特定回路を含む装置。
（付記４５）前記特定回路は、前記第１のワイヤレス通信システムの各ネットワーク要素から前記第２のワイヤレス通信システムのネットワーク要素に割り当てできる、または前記第２のワイヤレス通信システムのネットワーク要素から前記第１のワイヤレス通信システムの各ネットワーク要素に割り当てを要するスペクトル部分を特定する、付記４４に記載の装置。
（付記４６）前記特定回路は、前記第２のワイヤレス通信システムの前記１つのネットワーク要素から送信されるのを待つデータを分析し、前記データの送信に必要なバンド幅を決定する、付記４４または４５に記載の装置。
（付記４７）前記特定回路は、前記第２のワイヤレス通信システムのネットワーク要素に現在割り当てられているスペクトル量と、前記ネットワーク要素が必要とするバンド幅との差を計算する、付記４６に記載の装置。
（付記４８）前記特定回路は、前記第２のワイヤレス通信システムから前記第１のワイヤレス通信システムに、前記計算された差にサイズ的に対応するスペクトル部分が、前記差の符号に応じて、前記第２のワイヤレス通信システムのネットワーク要素から前記第１のワイヤレス通信システムに割り当てできるか、または前記第１のワイヤレス通信システムから前記第２のワイヤレス通信システムのネットワーク要素に割り当てを要求されていることを示すシグナリングを送信する、付記４７に記載の装置。
（付記４９）前記特定回路は、前記第２のワイヤレス通信システムのネットワーク要素から前記第１のワイヤレス通信システムへの指定されたスペクトル量の割り当てを要求するトリガーとして機能する前記第１のワイヤレス通信システムからのシグナリングの受信に応じて、前記スペクトルの一部を特定する、付記４４ないし４８いずれか一項に記載の装置。
（付記５０）前記特定回路は、前記スペクトル割り当てプロセスのインスタンスをトリガーするために前記スペクトル部分を周期的に特定する、付記４９に記載の装置。
（付記５１）前記特定回路は、前記第１のワイヤレス通信システムのリードネットワーク要素にシグナリングを送信する、付記４８ないし５０いずれか一項に記載の装置。
（付記５２）前記第２のワイヤレス通信システムは周波数分割多重モードを用いる、付記４４ないし５１いずれか一項に記載の装置。
（付記５３）第１のワイヤレス通信システムと第２のワイヤレス通信システムの一方が他方にスペクトルの一部を割り当てるスペクトル割り当てプロセスに参加する第１のワイヤレス通信システムにおけるスペクトル使用の制御方法であって、前記第１のワイヤレス通信システムは複数のネットワーク要素を有し、前記複数のネットワーク要素の一部または全部は前記第２のワイヤレス通信システムのネットワーク要素に関連するセル内にあり、時分割多重方式を用いて同一スペクトルバンド内で動作しており、前記第２のワイヤレス通信システムは周波数分割多重方式を用い、前記方法は、
グループ調整プロセスを実行する段階は、前記第１のワイヤレス通信システムのネットワーク要素を調整して、前記第１のワイヤレス通信システムから前記第２のワイヤレス通信システムのネットワーク要素に割り当てできるスペクトル部分を特定する調整段階と、
前記スペクトル割り当てプロセスにおいて前記第１のワイヤレス通信システムから前記第２のワイヤレス通信システムのネットワーク要素に特定されたスペクトル部分を割り当てる割り当て段階と、
前記スペクトル割り当てプロセスの後にスペクトル構成を示すシグナリングを前記第１のワイヤレス通信システムの同期モジュールに送信する送信段階と、
前記第１のワイヤレス通信システムに、前記同期モジュールの動作と連携して前記スペクトル構成に切り替えさせる切り替え段階とを含む方法。
（付記５４）第１のワイヤレス通信システムと第２のワイヤレス通信システムの一方が他方にスペクトルの一部を割り当てるスペクトル割り当てプロセスに参加する第１のワイヤレス通信システムにおけるスペクトル使用の制御装置であって、前記第１のワイヤレス通信システムは複数のネットワーク要素を有し、前記複数のネットワーク要素の一部または全部は前記第２のワイヤレス通信システムのネットワーク要素に関連するセル内にあり、時分割多重方式を用いて同一スペクトルバンド内で動作しており、前記第２のワイヤレス通信システムは周波数分割多重方式を用い、前記装置は、
グループ調整プロセスを実行する調整回路は、前記第１のワイヤレス通信システムのネットワーク要素を調整して、前記第１のワイヤレス通信システムから前記第２のワイヤレス通信システムのネットワーク要素に割り当てできるスペクトル部分を特定する調整回路と、
前記スペクトル割り当てプロセスにおいて前記第１のワイヤレス通信システムから前記第２のワイヤレス通信システムのネットワーク要素に特定されたスペクトル部分を割り当てるスペクトル割り当て回路と、
前記スペクトル割り当て回路は、前記スペクトル割り当てプロセスの後にスペクトル構成を示すシグナリングを前記第１のワイヤレス通信システムの同期モジュールに送信し、
前記第１のワイヤレス通信システムに、前記同期モジュールの動作と連携して前記スペクトル構成に切り替えさせる制御回路とを含む。
（付記５５）ネットワーク要素または外部制御要素の一部であるコンピュータで実行されたとき、前記コンピュータに付記１ないし２６、または５３いずれか一項に記載の方法を実行させるコンピュータプログラム。
（付記５６）ネットワーク要素または外部制御要素の一部であるコンピュータにロードされたとき、前記コンピュータを付記２７ないし５２、または５４いずれか一項に記載の装置にするコンピュータプログラム。
（付記５７）キャリア媒体に担われた、付記５５または５６に記載されたコンピュータプログラム。
（付記５８）前記キャリア担体は記録媒体である、付記５７に記載のコンピュータプログラム。
（付記５９）前記キャリア担体は伝送媒体である、付記５７に記載のコンピュータプログラム。
【図１】
0005228945.tif 000010
【図２】
0005228945.tif 000011
【図３】
0005228945.tif 000012
【図４】
0005228945.tif 000013
【図５】
0005228945.tif 000014
【図６】
0005228945.tif 000015
【図７】
0005228945.tif 000016
【図８】
0005228945.tif 000017
【図９】
0005228945.tif 000018
【図１０】
0005228945.tif 000019
【図１１】
0005228945.tif 000020
【図１２】
0005228945.tif 000021
【図１３】
0005228945.tif 000022
【図１４Ａ】
0005228945.tif 000023
【図１４Ｂ】
0005228945.tif 000024
【図１５Ａ】
0005228945.tif 000025
【図１５Ｂ】
0005228945.tif 000026
【図１６】
0005228945.tif 000027